(57)【要約】【課題】ヘッドホンなどの受信装置側で、テレビの音声を好みのチャンネルのものに選択することが可能なテレビ受像機を提供する。【解決手段】  スピーカ１０８では主音声が再生され、ワイヤレスヘッドホンＡでは副音声１が再生され、ワイヤレスヘッドホンＢでは副音声２が再生され、ワイヤレスヘッドホンＣでは副音声１が再生されることになり、テレビジョン受信機のスピーカからは主音声が再生されている傍ら、それぞれのワイヤレスヘッドホンでは、副音声１または副音声２の音声が再生されることになる。  【選択図】  図６
2006339856.tif 000002
【特許請求の範囲】
【請求項１】
チューナにより受信した所定チャンネルの放送番組の映像を表示する表示部、およびこの映像に対応する主音声を出力するスピーカを有するテレビ装置において、
前記スピーカから出力されている音声とは異なるチャンネルの音声である副音声を出力する音声出力部と、
この音声出力部より出力される副音声を無線受信機能付きのヘッドホン装置へ無線送信する無線通信部と、
前記ヘッドホンより、前記音声出力部より出力されているチャンネルの音声切り替えの指示を受けることにより、前記音声出力部から出力される音声を切り替える副音声切り替え制御部とを有することを特徴とするテレビ装置。
【請求項２】
前記無線送信部は、複数のヘッドホンに対して、それぞれ異なる音声を同時送信することを特徴とする請求項１記載のテレビ装置。
【請求項３】
チューナにより受信した所定のチャンネルの放送番組の映像を表示する表示部、およびこの映像に対応する主音声を出力するスピーカを有するテレビ装置の音声データの出力制御方法において、
前記スピーカから出力されている音声とは異なるチャンネルの音声である副音声を無線受信機能付きのヘッドホン装置へ無線送信し、
前記ヘッドホンより、前記音声出力部より出力されているチャンネルの副音声切り替えの指示を受けることにより、前記音声出力部から出力される副音声を切り替えることを特徴とする音声データの出力制御方法。
【請求項４】
複数のヘッドホンに対して、それぞれ異なる音声を同時送信することを特徴とする請求項３記載の音声データの出力制御方法。
【発明の詳細な説明】
【技術分野】
【０００１】
本発明は、放送番組を受像するテレビ装置に関し、特にスピーカから出力している音声とは異なる音声を無線出力可能なテレビ装置の音声出力方法に関する。
【背景技術】
【０００２】
テレビジョン受像機では、親画面、子画面を多重化して表示し、親画面の音声をスピーカから出力するようなことが一般的に行われている。そして、このような親子画面を表示する機能を備えたテレビで、子画面の音声をＦＭ波などで出力して、ヘッドホンなどで聞くことができるものが開示されている。
【特許文献１】特開平７−５９０２５号公報（第１図）
【発明の開示】
【発明が解決しようとする課題】
【０００３】
しかし、上述したような従来技術ではヘッドホンなどの音声を受信する機器側では、受信する音声を選択することは出来ず、受信音声を切り替えるためには、テレビ本体側での操作が必要になる。また複数の音声を出力するようにするためには、複数のＦＭ波を出力する必要がある。
【０００４】
そこで、本発明はヘッドホンなどの受信装置側で、テレビの音声を好みのチャンネルのものに選択することが可能なテレビ受像機を提供することを目的とするものである。
【課題を解決するための手段】
【０００５】
本発明は上述したような課題を解決するため、チューナにより受信した所定チャンネルの放送番組の映像を表示する表示部、およびこの映像に対応する音声を出力するスピーカを有するテレビ装置において、前記スピーカから出力されている音声とは異なるチャンネルの音声を出力する音声出力部と、この音声出力部より出力される音声を無線受信機能付きのヘッドホン装置へ無線送信する無線通信部と、前記ヘッドホンより、前記音声出力部より出力されているチャンネルの音声切り替えの指示を受けることにより、前記音声出力部から出力される音声を切り替える切り替え制御部とを有するものである。
【発明の効果】
【０００６】
無線通信手段で複数の異なる音声を複数のワイヤレスヘッドホンに送信する手段を用意し、再生音声切り替え手段により、ワイヤレスヘッドホンからの制御することにより、ワイヤレスヘッドホンで再生する音声をテレビジョン受信機側に触れることなく選択が可能になる。
【発明を実施するための最良の形態】
【０００７】
以下、本発明における実施形態について図面を用いて説明する。
【０００８】
図１は本発明の一実施形態となるテレビ装置のシステムの構成図である。テレビジョン受信機１００は、チューナー１０１から受信した放送の電波を、映像・音声分離部１０２によって映像と音声に分離し、映像はブラウン管やLCDのような映像表示部１０３に表示される。音声は、音声多重復調部１０４により音声多重放送や2ヶ国語放送のような重畳されている音声をそれぞれ復調し、それぞれを音声データ出力部Ａ１０５、音声データ出力部Ｂ１０６、音声データ出力部Ｃ１０７に出力する。スピーカ１０８は、メモリ１０９に記憶されているプログラムをシステム制御部１１０で実行することで、音声データ出力部Ａ１０５、音声データ出力部Ｂ１０６、音声データ出力部Ｃ１０７のいずれかの手段を選択して、音声データをＡ／Ｄ変換しで音声を出力する。無線通信部１１１は、双方向近距離無線通信が可能なBluetoothの無線通信装置であり、メモリ１０９に記憶されているプログラムをシステム制御部１１０で実行することで、音声データ出力部Ａ１０５、音声データ出力部Ｂ１０６、音声データ出力部Ｃ１０７のいずれかの手段を選択し、選択した音声データ出力部から出力される音声をBluetoothのAdvanced Audio Distribution Profile（Ａ２ＤＰ）のＳＲＣ機能の手続きによって、それぞれ複数の無線接続先となるワイヤレスヘッドホンＡ１１２ａまたはワイヤレスヘッドホンＢ１１２ｂまたはワイヤレスヘッドホンＣ１１２ｃに音声を無線で出力すると共に、Audio Video Remote Control Profile（ＡＶＲＣＰ）のＴＧ機能の手続きによって、リモートコントロールされる側の機能を実現する。
【０００９】
図２はワイヤレスヘッドホン１１２のシステム構成図である。システム制御部１１３はワイヤレスヘッドホン１１２の動作を制御するために設けられたプロセッサであり、メモリ１１４に格納されたプログラムを実行することにより、無線通信部１１５、スピーカ１１６および入力部１１７をそれぞれ制御する。メモリ１１４は例えば不揮発性のメモリデバイスから構成されており、ここには、ワイヤレスヘッドホン１１２の動作を制御するためのプログラムが格納されている。このプログラムには、BluetoothのAdvanced Audio Distribution Profile（Ａ２ＤＰ）のＳＮＫ機能の手続きをシステム制御部１１３に実行させるためのルーチンなどが含まれている。
【００１０】
無線通信部１１５は、テレビジョン受信機１１２との間でBluetoothの規格に準拠した無線通信を実行する部分である。この無線通信部１１５は、テレビジョン受信機１００に対してＡ２ＤＰのＳＮＫ機能の手続きを実行して音声データを受信すると共にＡＶＲＣＰのＣＴ機能の手続きを実行してリモートコントロールする側の機能を実現する。
【００１１】
入力部１１７は、ユーザに対するユーザインタフェースであり、ユーザによる操作を伝えるキースイッチのような装置であり、ユーザがキースイッチを押すたびにその入力がシステム制御部１１３に伝えられ、無線通信部１１５のＡＶＲＣＰのＣＴ機能によって制御信号を送信する機能を実現する。
【００１２】
スピーカ１１６は、テレビジョン受信機１００から送信される音声を無線通信部１１５およびシステム制御部１１３を介して受信しながら音声として出力可能なヘッドホンのスピーカである。なお、スピーカの出力ゲインはシステム制御部１１３によって調整可能なものとする。
【００１３】
図３は音声データ出力部１０５乃至１０７に対する復調された音声割り当ての例である。ここでは、チューナ１０１で受信し、映像・音声分離部１０２で分離された音声信号は、音声多重復調部１０４により、主音声は音声データ出力部Ａ１０５に、副音声１は音声データ出力部Ｂ１０６に、副音声２は音声データ出力部Ｃ１０７に割り当てられているものとする。
【００１４】
図４は、複数のワイヤレスヘッドホンとの接続を示した図である。Bluetoothの規格では、1つのマスター機器に対して、最大7つのスレーブ機器が接続可能であり、それぞれの接続に対して時分割でデータの送受信をすることが出来る。ここでは、テレビジョン受信機側のBluetooth通信部がマスターとなり、それに対してワイヤレスヘッドホンＡ、Ｂ、ＣのBluetooth通信部がスレーブとなって同時に接続しているものとし、それぞれ、ワイヤレスヘッドホンＡ１１２ａに対する接続を無線接続Ａ、ワイヤレスヘッドホンＢ１１２ｂに対する接続を無線接続Ｂ、ワイヤレスヘッドホンＣ１１２ｃに対する接続を無線接続Ｃとして、それぞれの無線接続上で、それぞれＡ２ＤＰとＡＶＲＣＰの手続きが実行される。なお、ここではあくまでも説明の都合上、接続するワイヤレスヘッドホンを3台としているだけであり、その数は増減しても構わない。
【００１５】
図５は、音声データ出力部決定処理を示すフローチャートである。音声データ出力部決定処理は、テレビジョン受信機１００のスピーカ１０８、または無線接続Ａ、または無線接続Ｂ、または無線接続Ｃのそれぞれに対して、システム制御部１００がプログラムとして実行するものである。ここでは、スピーカ１０８を例にして本処理の説明をする。
【００１６】
音声データ出力部決定処理がシステム制御部によって実行されると、最初にスピーカに対する音声データ出力部情報をメモリから読み出す（ステップＳ１）。次に、ステップＳ１で読み出した音声データ出力部情報が示す音声データ出力部がどう設定されているかを判断し（ステップＳ２）、音声データ出力部がＡと設定されているか、または、音声データ出力部が設定されていない場合には、スピーカに対する音声データ出力部をＡに切り替え（ステップＳ３）、音声データ出力部の音声データ出力部情報をＡとしてメモリに保持する（ステップＳ４）。同様に、ステップＳ２にて、音声データ出力部がＢと設定されていた場合には、スピーカ１０８に対する音声データ出力部をＢに切り替え（ステップＳ５）、また、ステップＳ２にて、音声データ出力部がＣと設定されていた場合には、スピーカに対する音声データ出力部をＣに切り替える。（ステップＳ６）
この処理は、無線接続Ａ、および無線接続Ｂ、および無線接続Ｃに対しても同様に実行されるため、それぞれに対して、それぞれの任意の音声データ出力部が割り当てられることになる。なお、音声データ出力部情報はメモリに保持されているため、ワイヤレスヘッドホン１１２を接続するたびに前回接続していた時の音声データ出力部情報がメモリ１０９から読み出されるため、ワイヤレスヘッドホン１１２の接続を行う度に好みの音声を選択するという煩わしい操作をする必要がなくなる。
【００１７】
図６は、スピーカ１０８、ワイヤレスヘッドホンＡ１１２ａ、ワイヤレスヘッドホンＢ１１２ｂ、およびワイヤレスヘッドホンＣ１１２ｃで再生される音声の種類の例を図示したものである。図５で説明した音声データ出力部決定処理によって、スピーカ、ワイヤレスヘッドホンＡ、ワイヤレスヘッドホンＢ、およびワイヤレスヘッドホンＣには、それぞれ任意の音声データ出力部が割り当てられるため、ここでは例えば、スピーカでは音声データ出力部Ａによって出力された主音声が再生され、ワイヤレスヘッドホンＡでは、音声データ出力部Ｂによって出力された副音声１が再生され、ワイヤレスヘッドホンＢでは、音声データ出力部Ｃによって出力された副音声２が再生され、ワイヤレスヘッドホンＣでは、音声データ出力部Ｂによって出力された副音声１が再生されることになり、テレビジョン受信機のスピーカからは主音声が再生されている傍ら、それぞれのワイヤレスヘッドホンでは、副音声１または副音声２の音声が再生されることになる。なお、ここではワイヤレスヘッドホンで再生される音声が、テレビジョン受信機のスピーカで再生される音声とは異なる音声を再生している例としたが、図５で説明した音声データ出力部決定処理によっては、テレビジョン受信機のスピーカで再生される音声と同じ音声をワイヤレスヘッドホンでも再生させることも可能である。
【００１８】
図７は、制御信号による音声データ出力部変更処理を示したフローチャートである。本処理は、無線接続中のワイヤレスヘッドホンで、入力部に割り当てられた音声切り替えを行うボタン操作がユーザによって行われることで、ワイヤレスヘッドホンからの音声切り替えの制御信号がＡＶＲＣＰのＣＴ側の手続きにより無線通信部を通じてテレビジョン受信機の無線通信部に届き、ＡＶＲＣＰのＴＧ側の手続きによりシステム制御部がその受信制御信号を認識することで実行される。まず、受信した制御信号を読み取り（ステップＳ１１）、その制御信号の種類を判定し（ステップＳ１２）、スピーカの変更であると判断された場合には、スピーカの音声データ出力部情報を変更し（ステップＳ１３）、図５で説明した、スピーカに対する音声データ出力部決定処理を呼び出す。
【００１９】
または、Ｓ１１にて無線接続に対する音声データ出力部の変更であると判断された場合には、対象となる無線接続がＡ、Ｂ、Ｃのいずれなのかを判定し（ステップＳ１４）、
無線接続Ａに対するものと判断された場合には、無線接続Ａに対する音声データ出力部情報を変更し（ステップＳ１５）、図５で説明した、無線接続Ａに対する音声データ出力部決定処理を呼び出す（ステップＳ１６）。Ｓ１４にて無線接続Ｂ、もしくは無線接続Ｃと判断された場合も、無線接続Ａと判断された場合と同様に、音声データ出力部情報を変更し（ステップＳ１７、ステップＳ１９）、音声データ出力部決定処理を呼び出す（ステップＳ１８、ステップＳ２０）。
【００２０】
この処理により、テレビジョン受信機に触れることなく、現在再生している音声をそれぞれのワイヤレスヘッドホンでの操作によりそれぞれ変更することが可能となる。
【００２１】
以上、上述した実施形態では、テレビジョン受信機における音声多重放送を用いて説明したが、同様に、同時に複数の音声が重畳されて出力され、再生する側で重畳された音声の中の1つ以上を選択して再生可能な、例えばDVDプレーヤでの複数言語の音声再生を用いたものにも適用可能である。
【００２２】
このように本実施形態では、無線通信手段で複数の異なる音声を複数のワイヤレスヘッドホンに送信する手段を用意したことで、テレビジョン受信機に音声出力の数だけ無線出力部を用意する必要がなくなる。また、再生音声切り替え手段により、ワイヤレスヘッドホンからの制御により、ワイヤレスヘッドホンで再生する音声をテレビジョン受信機側に触れることなく選択が可能になり、ユーザの利便性が高まる。さらに、音声出力手段保持手段により、ワイヤレスヘッドホン毎に選択した音声を記憶することが可能になり、ユーザの利便性が高まるものである。
【図面の簡単な説明】
【００２３】
【図１】本発明の一実施形態となるテレビ装置のシステムの構成図。
【図２】同実施形態におけるワイヤレスヘッドホンのシステム構成図。
【図３】音声データ出力部に対する復調された音声割り当ての例。
【図４】複数のワイヤレスヘッドホンとの接続を示した図。
【図５】音声データ出力部決定処理を示すフローチャート。
【図６】スピーカと複数のワイヤレスヘッドホンで再生される音声の種類の例を説明するための図。
【図７】制御信号による音声データ出力部変更処理を示したフローチャート。
【符号の説明】
【００２４】
１００…テレビジョン受像機、１０１…チューナ、１０２…映像・音声分離部、１０３…映像表示部、１０４…音声多重復調部、１０５〜１０７…音声出力部、１０８…スピーカ、１０９…メモリ、１１０…システム制御部、１１１…無線通信部、１１２…ワイヤレスヘッドホン。
【図１】
2006339856.tif 000003
【図２】
2006339856.tif 000004
【図３】
2006339856.tif 000005
【図４】
2006339856.tif 000006
【図５】
2006339856.tif 000007
【図６】
2006339856.tif 000008
【図７】
2006339856.tif 000009